【手続補正書】
【提出日】平成19年11月2日(2007.11.2)
【手続補正１】
【補正対象書類名】明細書
【補正対象項目名】特許請求の範囲
【補正方法】変更
【補正の内容】
【特許請求の範囲】
【請求項１】
第１の出力端子（Ｔ１）及び第２の出力端子（Ｔ２）に接続された負荷に電力を供給するよう構成された、本質的に安全な回路であって、
電源（ＰＳ）と、
前記電源に並列に接続され、前記電源によって生成される電圧の大きさを制限する電圧制限回路（Ｚ１）と、
前記電圧制限回路の第１の側と前記第１の出力端子との間の接続部と、
前記電圧制限回路の第２の側と前記第２の出力端子との間に接続された電流制限回路（２０２）であって、バリア抵抗と可変インピーダンスと比較器とを有する電流制限回路（２０２）と、
を具備し、
前記可変インピーダンスが前記第２の出力端子と前記バリア抵抗の第１の側との間に接続され、
前記バリア抵抗の第２の側が前記電圧制限回路の前記第２の側に接続され、
基準電圧が前記比較器の入力に接続され、
前記比較器の出力が前記可変インピーダンスの制御入力に接続され、
前記比較器の前記出力によって前記可変インピーダンスの前記入力へ印加される信号が、前記可変インピーダンスのインピーダンス値を制御し、
前記バリア抵抗の前記第１の側と前記比較器の前記入力との間の接続部が、前記バリア抵抗を通る電流の大きさを表す電圧を受け取り、
前記比較器が、前記基準電圧の大きさと前記バリア抵抗から受け取る前記電圧とを比較して、前記出力端子を介して前記負荷へ送られる電流の最大レベルを制限する、
本質的に安全な回路（２００）。
【請求項２】
前記電源の正電圧側と前記電圧制限回路との間に接続されたヒューズ（Ｆ１）を更に備える、請求項１記載の回路（２００）。
【請求項３】
前記電圧制限回路が、前記電源の正電圧側に接続されたカソードと前記電源の負電圧側に接続されたアノードとを有するダイオード（Ｚ１）を備える、請求項１記載の回路（２００）。
【請求項４】
前記ダイオードがツェナー・ダイオードである、請求項３記載の回路（２００）。
【請求項５】
前記可変インピーダンスが、前記バリア抵抗の前記第１の側と前記第２の出力端子との間に接続されて前記負荷への電流の大きさを制御するトランジスタを備え、
前記比較器が、前記トランジスタのインピーダンスを制御する演算増幅器（ＯＡ）であり、
前記比較器が、前記トランジスタの制御入力に接続された出力を有し、更に、前記負荷電流を表す電圧に接続された第１の入力と、前記基準電圧に接続された第２の入力とを有しており、
電圧分割器が前記バリア抵抗を含み、前記負荷電流を表す電圧を生成し、
前記電圧分割器が、前記演算増幅器の前記第１の入力と前記電源の負電圧側とに接続される、
ことを特徴とする、請求項１記載の回路（２００）。
【請求項６】
前記電流制限回路が、前記演算増幅器の出力と前記トランジスタの前記制御入力との間に接続される抵抗（Ｒ１）を更に備える、請求項５記載の回路（２００）。
【請求項７】
前記トランジスタがＭＯＳＦＥＴである、請求項５記載の回路（２００）。
【請求項８】
前記電圧分割器が、
前記演算増幅器の前記第１の入力と前記トランジスタのドレインとの間に接続された第１の抵抗（Ｒ１）と、
前記ドレインに接続された第１端と前記電源の前記負電圧側に接続された第２端とを有する前記バリア抵抗（Ｒ３）と、
を備える、請求項７記載の回路（２００）。
【請求項９】
前記負荷が、駆動信号を生成すると共にピックオフ信号を受信する信号調整装置を有するコリオリ流量計の計器電子装置を含み、
前記信号調整装置が、前記本質的に安全な回路の前記第１の出力端子及び前記第２の出力端子に接続される、
請求項１記載の回路（２００）。
【請求項１０】
前記信号調整装置が、
前記本質的に安全な回路の前記第１の出力端子と前記第２の出力端子とに接続され、前記駆動信号を生成する駆動回路と、
前記駆動回路の出力に接続された入力を有し、前記ピックオフ信号を受信する調整回路と、
を更に備える、請求項９記載の回路（２００）。
【請求項１１】
第１の出力端子及び第２の出力端子を介して負荷へ電力を供給するための本質的に安全な回路を動作させる方法であって、
電源に対して並列に電圧制限回路を接続して、前記電源から生成される電圧の大きさを制限するステップと、
前記電圧制限回路の第１の側と前記第１の出力端子との間の接続を延ばすステップと、
前記バリア抵抗の第１の側を可変インピーダンスと直列に前記第２の出力端子と接続するステップと、
前記電圧制限回路の第２の側を前記バリア抵抗の第２の側に接続するステップと、
比較器を動作させて、基準電圧を、前記出力端子を介して前記負荷へ送られる電流を表す、前記バリア抵抗の両端間の電圧と比較するステップと、
制御信号を前記比較器の出力から前記可変インピーダンスの入力へ延ばすステップと、
前記制御信号の受け取りに応答して前記可変インピーダンスを動作させて、前記バリア抵抗と前記可変インピーダンスとを通って前記負荷に至る最大電流を制限するステップと、
を含む方法。
【請求項１２】
電圧レベルを制限する前記ステップが、ダイオードを動作させて前記電圧を制限するステップを含む、請求項１１記載の方法。
【請求項１３】
ダイオードを動作される前記ステップが、ツェナー・ダイオードを動作させるステップを含む、請求項１２記載の方法。
【請求項１４】
本質的に安全な電圧を前記端子からコリオリ流量計の駆動回路へ印加するステップと、
前記電力の受け取りに応答して前記駆動回路により駆動信号を生成するステップと、
を更に含む、請求項１１記載の方法。
【請求項１５】
前記電力の受け取りに応答して前記コリオリ流量計の調整回路へピックオフ信号を印加するステップを更に含む、請求項１４記載の方法。
【請求項１６】
最大電流を制限する前記ステップが、
電圧分割器を動作させて、前記バリア抵抗を介して前記負荷へ送られる電流を表す電圧を生成するステップと、
演算増幅器を動作させて、前記負荷へ送られる電流を表す前記電圧と基準電圧を比較するステップと、
前記演算増幅器の出力から、前記可変インピーダンスを規定するトランジスタの制御入力へ信号を送って、前記負荷へ送られる電流の大きさを制限するステップと、
を更に含む、請求項１１記載の方法。
【請求項１７】
トランジスタを動作させる前記ステップが、ＭＯＳＦＥＴを動作させるステップを含む、請求項１４記載の方法。
【請求項１８】
第１の出力端子（Ｔ１）と第２の出力端子（Ｔ２）とに接続された負荷へ電力を供給するよう構成された本質的に安全な回路（２００）であって、
電源（ＰＳ）と、
前記電源に並列に接続され、前記電源によって生成される最大電圧を制限する電圧制限回路（Ｚ１）と、
前記電圧制限回路の第１の側と前記第１の出力端子との間の接続部と、
前記電圧制限回路の第２の側と前記第２の出力端子との間に接続された電流制限回路（２０２）と、
を具備し、
前記電流制限回路が、基準電圧と、可変インピーダンス（Ｑ１）と、バリア抵抗（Ｒ３）とを備えており、
前記電圧制限回路の第２の側が、前記バリア抵抗及び前記可変インピーダンスと直列に前記第２の出力端子に接続され、
前記基準電圧と前記バリア抵抗の両端間の電圧との比較に応答して、前記電流制限回路が、前記負荷へ送られる電流を最大電流レベルへ制限する回路（２００）。
【請求項１９】
本質的に安全な回路を動作させて負荷へ電力を供給する方法であって、
電源に並列に接続された電圧制限回路を接続して、前記電源によって生成される最大電圧を制限するステップと、
前記電圧制限回路の第１の側と第１の端子との間の接続を延ばすステップと、
前記電圧制限回路の第２の側をバリア抵抗及び可変インピーダンスと直列に第２の出力端子に接続するステップと、
前記バリア抵抗及び前記出力端子を介して送られる電流を表す、前記バリア抵抗の両端間の電圧と基準電圧との比較に応答して、前記出力端子を介して前記負荷へ送られる電流を最大電流レベルへ制限するステップと、
を含む方法。